(57)【要約】      （修正有）【課題】生理状況を即時にモニタリングすることができ、運動傷害を事前に回避可能である生理状況モニタリング装置を提供する。【解決手段】スポーツをしているユーザ４０が使用可能であり、握り装置１０と、ホスト２０と、を含む生理状況モニタリング装置において、前記握り装置１０は、ユーザ４０に握られ、測定モジュール及び第一加速度スケールモジュールを有する測定装置が設けられており、ユーザ４０の生理状況と、前記握り装置１０の運動状況と、をモニタリングすることができ、そして測定結果信号を発生可能であり、前記ホスト２０は、前記ユーザ４０と同期して移動し、前記測定結果信号を受信し、前記ホスト２０の運動状況を測定する第二加速度スケールモジュールと、マルチメディア出力メディアと、を含み、前記測定結果信号と、前記ホスト２０の運動状況と、によって運動指示信号を発生し前記マルチメディア出力メディアを介して出力する。【選択図】図３
0003142274.tif 000002
【実用新案登録請求の範囲】
【請求項１】
スポーツをしているユーザ（４０）が使用可能であり、握り装置（１０）と、ホスト（２０）と、を含む生理状況モニタリング装置において、
前記握り装置（１０）は、ユーザ（４０）に握られ、測定モジュール（３１）及び第一加速度スケールモジュール（３２）を有する測定装置（３０）が設けられており、前記測定装置（３０）により、ユーザ（４０）の生理状況と、前記握り装置（１０）の運動状況と、をモニタリングすることができ、そして測定結果信号を発生可能であり、
前記ホスト（２０）は、前記ユーザ（４０）と同期して移動し、前記測定結果信号を受信し、前記ホスト（２０）の運動状況を測定する第二加速度スケールモジュール（２１）と、マルチメディア出力メディア（２２）と、を含み、前記測定結果信号と、前記ホスト（２０）の運動状況と、によって運動指示信号を発生し前記マルチメディア出力メディア（２２）を介して出力して前記ユーザ（４０）に適正な運動方式を指示することを特徴とする
生理状況モニタリング装置。
【請求項２】
前記ホスト（２０）は、ユーザ（４０）の身体（４２）に掛けられていることを特徴とする、請求項１に記載の生理状況モニタリング装置。
【請求項３】
前記ホスト（２０）の第二加速度スケールモジュール（２１）は、ユーザ（４０）が運動しているときに、床面から前記ホスト（２０）に伝達される反力を測定することができ、且つ前記マルチメディア出力メディア（２２）を介して出力して前記ユーザ（４０）に適正な運動方式を指示することを特徴とする、請求項１に記載の生理状況モニタリング装置。
【考案の詳細な説明】
【技術分野】
【０００１】
本考案は、生理状況モニタリング装置に関し、特に、生理状況を即時にモニタリングすることができ、運動傷害を事前に回避可能な生理状況モニタリング装置に関するものである。
【背景技術】
【０００２】
従来、米国特許第6,945,940号などに提案された生理状況モニタリング装置が市販されており、これらの生理状況モニタリング装置は、スポーツをしているユーザの生理状況（例えばハートビートなど）をモニタリングすることにより、運動強度が高すぎて運動傷害を受けることを事前に防止可能であるが、スポーツをしているときの衝撃力による骨格や関節への傷害をモニタリングする機能がないので、衝撃力による骨格や関節への傷害を事前に防止することができない。
【考案の開示】
【考案が解決しようとする課題】
【０００３】
本考案の主な目的は、スポーツをしているユーザの受けている衝撃力を即時にモニタリングすることにより、衝撃力による骨格や関節への傷害を事前に防止可能な生理状況モニタリング装置を提供することにある。
【課題を解決するための手段】
【０００４】
本考案の請求項１に記載の生理状況モニタリング装置によると、スポーツをしているユーザが使用可能であり、握り装置と、ホストと、を含む生理状況モニタリング装置において、前記握り装置は、ユーザに握られ、測定モジュール及び第一加速度スケールモジュール（第一加速度測定モジュール）を有する測定装置が設けられており、前記測定装置により、ユーザの生理状況と、前記握り装置の運動状況と、をモニタリングすることができ、そして測定結果信号を発生可能であり、前記ホストは、前記ユーザと同期して移動し、前記測定結果信号を受信し、前記ホストの運動状況を測定する第二加速度スケールモジュール（第二加速度測定モジュール）と、マルチメディア出力メディアと、を含み、前記測定結果信号と、前記ホストの運動状況と、によって運動指示信号を発生し前記マルチメディア出力メディアを介して出力して前記ユーザに適正な運動方式を指示することを特徴とする生理状況モニタリング装置である。
【０００５】
本考案の請求項２に記載の生理状況モニタリング装置によると、前記ホストは、ユーザの身体に掛けられている。
本考案の請求項３に記載の生理状況モニタリング装置によると、前記ホストの第二加速度スケールモジュールは、ユーザが運動しているときに、床面から前記ホストに伝達される反力を測定することができ、且つ前記マルチメディア出力メディアを介して出力して前記ユーザに適正な運動方式を指示する。
【考案の効果】
【０００６】
本考案の生理状況モニタリング装置によれば、次のような効果がある。
（１）スポーツをしているユーザの受けている衝撃力を即時にモニタリングすることにより、衝撃力による骨格や関節への傷害を事前に防止可能である。
（２）スポーツ、ゲーム、板踏み運動やリハビリなどに適用することができる。
（３）本考案に係る第一加速度スケールモジュール３２及び第二加速度スケールモジュール２１により、ユーザ４０がしている運動の種類が自動的に判別され、そして判別結果によって適当にモニタリングし、又は運動指示信号をユーザ４０に伝えることができる。
【考案を実施するための最良の形態】
【０００７】
以下、本考案の実施の形態を図面に基づいて説明する。
まず、図１Ａ、図１Ｂ及び図２を参照する。本考案に係る生理状況モニタリング装置は、図３に示すように、スポーツをしているユーザ４０に使用されることができ、握り装置１０と、ホスト２０と、を含む。握り装置１０は、ユーザ４０に握られ、測定装置３０が設けられており、測定装置３０は、測定モジュール３１と、第一加速度スケールモジュール３２と、第一相互関連処理ユニット３３と、第一信号処理ユニット３４と、第一信号伝送／受信ユニット３５と、を有する。測定装置３０によりユーザ４０の生理状況を測定可能になり、すなわち、ユーザ４０に握り装置１０の検知片１１が接触することにより、生理の電位差が測定されてユーザ４０の生理状況を知ることができる。第一加速度スケールモジュール３２は握り装置１０の運動状況を測定することができる。第一相互関連処理ユニット３３は、第一信号処理ユニット３４と、第一加速度スケールモジュール３２と、測定モジュール３１と、からの信号を受信して、この信号を第一信号処理ユニット３４によって処理して測定結果信号を発生して、測定結果信号が第一信号伝送／受信ユニット３５を介してホスト２０に伝送される。
【０００８】
ホスト２０は、ユーザ４０と同期して移動し、上記の測定結果信号を受信することができ、ホスト２０の運動状況を測定する第二加速度スケールモジュール２１と、マルチメディア出力メディア２２と、第二相互関連処理ユニット２３と、第二信号処理ユニット２４と、第二信号伝送／受信ユニット２５と、を含む。第一信号伝送／受信ユニット３５が第二信号伝送／受信ユニット２５と電気的に通信可能に連接していることにより、ホスト２０は上記の測定結果信号を受信することができる。第二相互関連処理ユニット２３は第二信号処理ユニット２４及び第二加速度スケールモジュール２１からの信号を受信して、この信号を第二信号処理ユニット２４によって処理して運動指示信号を発生して、運動指示信号がマルチメディア出力メディア２２（例えばディスプレイや音声出力装置など）を介してユーザ４０に運動方法を指示する。
【０００９】
また、本考案は、更に、第一相互関連処理ユニット３３と連接している第一入力／出力インターフェース３６と、第二信号処理ユニット２４と連接している資料アクセスユニット２６と、第二信号処理ユニット２４と連接しているコードレス通信ユニット２７と、第二相互関連処理ユニット２３と連接している第二入力／出力インターフェース２８と、を含む。コードレス通信ユニット２７はＷＩＦＩやＷＩＭＡＸなどの長距離コードレス通信機を採用し、これにより、長距離伝送又は遠隔モニタリングをすることができる。なお、第一信号伝送／受信ユニット３５及び第二信号伝送／受信ユニット２５は短距離コードレス通信機（例えばブルートゥース、赤外線、ＺＩＧＢＥＥや２．４ＧＨｚなど）を採用することにより、使用の利便性を向上することができる。第一入力／出力インターフェース３６と、資料アクセスユニット２６と、第二入力／出力インターフェース２８とにより、ユーザ４０は個人資料及び制御パラメータなどの個人化設定を入力することができる。
【００１０】
このように、本考案は、ユーザ４０の生理状況を測定することができ、更に、ホスト２０からの運動指示信号によって適正なスポーツアクセサリーを選択して使用することができる。本考案は、図３に示すように、ジョギングに適用することができ、ユーザ４０が両手４１で握り装置１０を握ると、検知片１１及び測定装置３０により、ユーザ４０の生理状況と、握り装置１０の運動状況と、をモニタリングすることができる。そしてホスト２０がユーザ４０の身体４２に掛けられており、これにより、ホスト２０の第二加速度スケールモジュール２１により、ユーザ４０が歩行し、又はジョギングしているときに、床面から運動靴４５、膝４４と脊椎４３を経由してホスト２０に伝達される反力を測定することができる。したがって、耐えられる最大衝撃力及び累積衝撃力を設定するだけで、上記の設定値を超えた場合には、マルチメディア出力メディア２２を介して警告信号がユーザ４０に伝えられ、そうすると、ユーザ４０は、運動を停止し、適当な運動靴を着用し、又は適正な緩衝係数を有する緩衝パッド５６を使用することにより、衝撃力による骨格や関節への傷害を事前に防止することができる。
【００１１】
また、本考案は、図４に示すように、ゲームホスト（図示せず）のコントローラ５０に握り装置１０の検知片１１を結合することにより、ユーザ４０がコントローラ５０を握ってゲームを遊ぶと、検知片１１及び測定装置３０により、ユーザ４０の生理状況と、握り装置１０の運動状況と、をモニタリングすることができ、これらの測定結果がホスト２０又はゲームホストに伝送される。
【００１２】
また、本考案は、図５Ａ及び図５Ｂに示すように、ゲームアクセサリー（例えばレース用ハンドル６０）に握り装置１０の検知片１１を結合し、図５Ａに示すように、レース用ハンドル６０に、ジョギング５０及びホスト２０を内蔵し、又は図５Ｂに示すように、ジョギング５０及びホスト２０を溝６１，６２にそれぞれ嵌め込むプラグイン方式を採用して、レースゲームを遊ぶと、ユーザ４０が握っているハンドル６０には測定装置３０が設けられているので、検知片１１及び測定装置３０により、ユーザ４０の生理状況と、ハンドル６０の運動状況と、をモニタリングすることができ、これらの測定結果がホスト２０又はゲームホスト（図示せず）に伝送される。
【００１３】
また、本考案は、図６に示すように、板踏み運動に適用されてもよく、ユーザ４０の両手４１が握り装置１０を握ると、検知片１１及び測定装置３０により、ユーザ４０の生理状況と、握り装置１０の運動状況と、をモニタリングすることができる。そしてホスト２０がユーザ４０の身体４２に掛けられており、これにより、ホスト２０の第二加速度スケールモジュール２１により、ユーザ４０が板踏み運動をしているときに、床面から運動靴４５、膝４４と脊椎４３を経由してホスト２０に伝達される反力を測定することができる。したがって、耐えられる最大衝撃力及び累積衝撃力を設定するだけで、上記の設定値を超えた場合には、マルチメディア出力メディア２２を介して警告信号がユーザ４０に伝えられ、そうすると、ユーザ４０は、運動を停止し、適当な運動靴を着用し、又は適正な緩衝係数を有する緩衝パッド５６を使用することにより、衝撃力による骨格や関節への傷害を事前に防止することができる。そして上記の設定値を超えた場合には、警告信号を第一信号伝送／受信ユニット３５及び第二信号伝送／受信ユニット２５を介してディスプレイ又はゲームホストに伝送してもよい。
【００１４】
また、図７に示すように、本考案に係るホスト２０及び測定装置３０は、第一信号伝送／受信ユニット３５及び第二信号伝送／受信ユニット２５を介してゲームホストユニット８０の信号伝送／受信ユニット８５と三方通信をすることができる。また、ホスト２０は、コードレス通信ユニット２７を介してコンピュータシステムユニット９０と、コードレス通信ユニット９７を介してインターネットユニット９６と、遠隔伝送又は遠隔モニタリングをすることができる。
【図面の簡単な説明】
【００１５】
【図１Ａ】本考案に係る測定装置及びホストのブロック図である。
【図１Ｂ】本考案に係る測定装置及びホストのブロック図である。
【図２】本考案の構造を示す概略図である。
【図３】本考案がジョギングに適用された状態を示す概略図である。
【図４】本考案がスポーツ遊技機に適用された状態を示す概略図である。
【図５Ａ】本考案がスポーツゲームに適用された状態を示す概略図である。
【図５Ｂ】本考案がスポーツゲームに適用された状態を示す概略図である。
【図６】本考案が板踏み運動に適用された状態を示す概略図である。
【図７】本考案と外部装置の電気的な通信の連接を示すブロック図である。
【符号の説明】
【００１６】
１０：握り装置、１１：検知片、２０：ホスト、２１：第二加速度スケールモジュール、２２：マルチメディア出力メディア、２３：第二相互関連処理ユニット、２４：第二信号処理ユニット、２５：第二信号伝送／受信ユニット、２６：資料アクセスユニット、２７：コードレス通信ユニット、２８：第二入力／出力インターフェース、３０：測定装置、３１：測定モジュール、３２：第一加速度スケールモジュール、３３：第一相互関連処理ユニット、３４：第一信号処理ユニット、３５：第一信号伝送／受信ユニット、３６：第一入力／出力インターフェース、４０：ユーザ、４１：両手、４２：身体、４３：脊椎、４４：膝、４５：運動靴、４６：緩衝パッド、５０：ジョイスティック、６０：レース用ハンドル、８０：ゲームホストユニット、８５：信号伝送／受信ユニット、９０：コンピュータシステムユニット、９６：インターネットユニット、９７：コードレス通信ユニット
【図１Ａ】
0003142274.tif 000003
【図１Ｂ】
0003142274.tif 000004
【図２】
0003142274.tif 000005
【図３】
0003142274.tif 000006
【図４】
0003142274.tif 000007
【図５Ａ】
0003142274.tif 000008
【図５Ｂ】
0003142274.tif 000009
【図６】
0003142274.tif 000010
【図７】
0003142274.tif 000011